Podtech/llm-jp-corpus-v4-ja_patent huggingface dataset:
(57)【要約】      （修正有）【課題】イス等に簡易に保持できるカップホルダーを提供する。【解決手段】平面状の基台１ａの中心からはずれた位置に開孔部２を有し、基台１ａの裏側に基台１ａにそって伸び、付勢力をもった保持部４を設ける。【選択図】図１
0003192196.tif 000002
【実用新案登録請求の範囲】
【請求項１】
平面状の基台の中心から外れた位置に開孔部を有し、前記基台の裏側に前記基台にそって伸び、付勢力をもった保持部を設けたカップホルダー。
【考案の詳細な説明】
【技術分野】
【０００１】
本考案は、イス等に簡易に保持できるカップホルダーに関するものである。          
【背景技術】
【０００２】
映画館で使用されるプラスチック製の膝の上にのせて使う物や、首からひもでぶら下げて絵を描く時のガバンの様な物は以前からあった。
【考案の概要】
【考案が解決しようとする課題】
【０００３】
しかしながら、以前からあった膝の上にのせて使う物や首からひもでぶら下げて使う物は持ち運ぶには大きすぎて、不安定で扱いにくく重たいと言う欠点があった。そこで、その様な課題を解決した。
【課題を解決するための手段】
【０００４】
本考案は、平面状の基台の中心からはずれた位置に開孔部を有し、前記基台裏側に前記基台にそって伸び、付勢力をもった保持部を設けたカップホルダー。
【考案の効果】
【０００５】
本考案に係るサイドホルダーは、イスやテーブル、等に簡単に挟み込む事ができカップを保持できる。
【図面の簡単な説明】
【０００６】
【図１】本考案に係るカップホルダーの全体図である。
【図２】本考案に係るカップホルダーの上から見た図である。
【図３】本考案に係るカップホルダーの裏側から見た図である。
【図４】本考案に係るカップホルダーの、図２のＡ−Ａ´断面図である。
【図５】本考案に係るカップホルダーの、イスを設置してカップホルダーを差し込みカップを置いた状態の図である。
【考案を実施するための形態】
【実施例】
【０００７】
（図１）に示すように平面状の基台（１ａ）の中心から外れた位置に開孔部（２）を有し、前記基台（１ａ）の裏側に前記基台（１ａ）にそって伸び、付勢力をもった保持部（４）を設けたカップホルダーである。
【０００８】
使い方としては、（図５）に示す通り基台（１ａ）と保持部（４）とで物に挟み込み、付勢力の力で保持し基台（１ａ）のカップホルダーの開孔部（２）にカップ（３）を入れて保持し、イス（５）に差し込んだ状態で使用するもので、イスの他、テーブルや棚等、差し込める物であれば差し込んで使用が可能である。従来の物と比べ、簡単な構造で、軽く小さいので持ち運びに便利である。
【産業上の利用可能性】
【０００９】
キャンプ等での簡易イス、野球場、サッカー場、  野外コンサート場、集会場、等において、今まで片手でカップを持ち、重さに耐える事や、片手での不便さから  解放され、両手が自由に使えるので、弁当を食べたり、拍手をしたり、ファールボールが当たる危険性から、回避出来る行動をとれたり、出来る等の利便性が有るため、広範囲での利用が可能である。
【符号の説明】
【００１０】
１      カップホルダー
１a     基台
２      カップホルダー開孔部
３      カップ
４      保持部    
５      イス
【図１】
0003192196.tif 000003
【図２】
0003192196.tif 000004
【図３】
0003192196.tif 000005
【図４】
0003192196.tif 000006
【図５】
0003192196.tif 000007
(57)【要約】      （修正有）【課題】水銀灯に代替するＬＥＤを用い、消費電気量の低減及び環境Ｃｏ２の大幅な低減を図り、また、高い照度を得ることができるようにした照明器具を提供する。【解決手段】長尺板状のＬＥＤ基板の前面に複数個のＬＥＤモジュールを設け、ＬＥＤ基板を二つ背面同士で接合して構成するＬＥＤ発光部２と、折角部を有する断面Ｕ字型の反射板３とを有し、ＬＥＤ発光部の底面を反射板の底面中央に配置し、ＬＥＤ発光部からの光を反射板によって反射するように構成したことを特徴とする。【選択図】図１
0003192168.tif 000002
【実用新案登録請求の範囲】
【請求項１】
長尺板状のLED基板の前面に複数個のLEDモジュールを設け、前記LED基板を二つ背面同士で接合して構成するLED発光部と、折角部を有する断面U字型の反射板とを有し、前記LED発光部の底面を前記反射板の底面中央に配置したことを特徴とする照明器具。  
【請求項２】
前記反射板に一つ又は複数個の折角部を設けたことを特徴とする請求項１記載の照明器具。
【請求項３】
前記LED発光部と前記反射板を複数列設けたことを特徴とする請求項１又は請求項２記載の照明器具。
【考案の詳細な説明】
【技術分野】
【０００１】
本考案はLED（発光ダイオード）を用いた照明器具に関するものである。特に、天井用の照明器具に関する。
【背景技術】
【０００２】
従来、LEDモジュールを反射板の底面に配置する構成のものは見受けられた。また、LED照明器具においては、LED発光部を覆う透光性カバー等により、光の発光方向を調整し、反射板にて反射させる構成のものが知られていた。
【先行技術文献】
【特許文献】
【０００３】
【特許文献１】特許公開2013-127951号公報
【考案の概要】
【考案が解決しようとする課題】
【０００４】
しかし、上記文献に記載の照明器具においては、透明性カバーによって光の拡散を図れるものの、照度を減衰させてしまう問題点があった。また、反射板によって反射させるとしてもLEDの光量を効率的に利用できていない問題点があった。
【課題を解決するための手段】
【０００５】
本考案では、第１考案として、長尺板状のLED基板の前面に複数個のLEDモジュールを設け、前記LED基板を二つ背面同士で接合して構成するLED発光部と、折角部を有する断面U字型の反射板とを有し、前記LED発光部の底面を前記反射板の底面中央に配置した照明器具とした。  
【０００６】
また、第２考案として、前記反射板に一つ又は複数個の折角部を設けた照明器具とした。
さらに、第３考案として、前記LED発光部と前記反射板を複数列設けた照明器具とした。
【考案の効果】
【０００７】
本考案においては、LED発光部からの光を効率的に反射板にて反射することにより、高い照度の照明器具と提供することができるようになった。すなわち、LEDモジュールからの光を折角部を有する反射板によって、反射方向を調整できるものである。
【図面の簡単な説明】
【０００８】
【図１】本考案の照明器具の全体図である。
【図２】LED発光部の構成を示す図である。
【図３】LED発光部及び反射板の取り付け状態を示す断面図である。
【図４】本考案の照明器具の部分断面全体図である。
【考案を実施するための形態】
【０００９】
本考案の実施例を図面に沿って示す。
【実施例】
【００１０】
本考案の一例を示す。図１は本考案の照明器具の全体図である。
【００１１】
１は照明器具本体である。２はLED発光部である。３は反射板である。
【００１２】
図２はLED発光部２の構成を示す図である。４はLED基板であり、前面にLEDモジュール５を設けている。LED発光部２は、長尺状のLED基板４の前面に複数個のLEDモジュール５を設け、２つのLED基板の背面を接合して構成している。LEDモジュール５は複数個設けられ、適宜間隔をあけて構成される。また、LED基板４は、基板押さえ６によって挟み込まれ、取付ネジ７によって照明器具本体１に固定される。
【００１３】
図３は、LED発光部２及び反射板３の取り付け状態を示す断面図である。反射板３には、折角部８が設けられている。この折角部８は反射板３に一つ又は複数個設けられ、LEDモジュール５から発せられた光の反射方向を定める役割を果たす。すなわち、折角部８を設ける位置、角度を調節し、反射板３によって適宜光の反射方向を決めることができ、LED発光部２のLEDモジュール５からの光の照度を高くすることができるようになっている。この際、LEDモジュール５の位置を調整することなく、反射板３の折角部８の位置、角度を調整することにより配光の操作ができるようになっている。９は乳白パネルである。
【００１４】
また、反射板３は鏡面等とし、受けた光を減衰させることなく反射させることができるようになっている。このため、LEDモジュール５からの光を効率的に反射できるようになっている。
【００１５】
図４は、本考案の照明器具の部分断面全体図である。４つのLED発光部２及び反射板３を設けた構成の一例である。LED発光部２の底面を反射板３の底面中央に位置するようLED発光部２を配置した。これにより、LED発光部２のLEDモジュール５からの光を反射板３に照射することができるになっている。
また、２つのLED基板４の背面を接合しているため、双方のLED基板４の前面に設けたLEDモジュール５から光を発することができるようになっている。  
【産業上の利用可能性】
【００１６】
本考案は、従来の水銀灯に代替するLEDを用いた照明器具であり、消費電気量の低減及び環境Co2の大幅な低減を図ることができるものである。また、LED発光部及び反射板の構成から、より高い照度を得ることができるようになっている。
【符号の説明】
【００１７】
１：照明器具本体
２：LED発光部
３：反射板
４：LED基板
５：LEDモジュール
６：基板押さえ
７：取付ネジ
８：折角部
９：乳白パネル
【図１】
0003192168.tif 000003
【図２】
0003192168.tif 000004
【図３】
0003192168.tif 000005
【図４】
0003192168.tif 000006
(57)【要約】      （修正有）【課題】ズボンやトレーニングウェアーなど下肢衣料を穿く直前に、ウエスト部に装着するヒールサスペンダーで、このサスペンダーが持つバネの力が踵と膝を楽に持ち上げ、歩行や運動を行う際に大きな効果をもたらす脚力向上ヒールサスペンダーを提供する。【解決手段】歩行や運動支援を狙ったもので、踵が外れないよう先端に足の甲と土踏まずに掛ける環状帯１６と踵を支える環状帯１７の２つの穴がある、強力な伸縮力を持つ素材からなるヒールサスペンダーで、ウエストベルトに取り付けるものである。使用時には先端の穴につま先を通し、後ろの穴に踵を通して踏み下ろす。歩行や運動の際にはサスペンダーが持つバネの力で踵と膝を楽に持ち上げることができ、歩行や運動補助に繋がるものである。【選択図】図５
0003192130.tif 000002
【実用新案登録請求の範囲】
【請求項１】
歩行や走行及び運動時の瞬発力発揮支援ができるよう、足の踵と土踏まずに掛ける環状帯が先端に施された、高強力な伸縮力を持つ布又はゴム帯をウエストベルトに取り付けたヒールサスペンダー。
【考案の詳細な説明】
【技術分野】
【０００１】本考案は、先端を足の甲と土踏まず及び踵に掛ける穴の開いた、高強力な伸縮力のある布又はゴム帯をウエストベルトに取り付けたヒールサスペンダーで、歩行や走行をはじめ、運動時の瞬発力発揮に効果があるものである。
このサスペンダー先端の２つの環状帯に足の甲と土踏まず及び踵を通し、踏み下ろして着用すると、サスペンダーが持つバネの力で踵と膝が楽に持ち上がり、脚力向上を支援する効果がある。
【背景技術】
【０００２】歩行や走行は片足を上げ、重心移動により倒れる力を利用して右足と左足を交互に前に出す動作の繰り返しである。この時、踵を後方に上げることで膝が持ち上がり、歩行や走行が可能となる。倒れないようバランスをとるのは筋肉と靭帯で、身体の重心を支えるのは骨盤、股関節、大腿骨、膝関節、足関節であるが、足偏に重と書く踵は文字通り、体の重力が一番かかる部位である。
高齢に成るに従い歩行困難を訴える人が増えるが、歩行困難原因の一つは体重が一番かかる踵を持ち上げる筋力が低下することにあり、踵を持ち上げる下肢の筋力があれば歩行は楽になる。また、ランニングやテニスなどの運動では瞬発力が非常に大事であり、バネのような力が加われば瞬時に踵が上がり、リアクション能力が高まる。
【先行技術文献】
【特許文献】
【０００３】歩行促進を目的とした下肢衣料に関する先願特許、実用新案は２件あり、特開２００７−１９７８８０出願人有限会社日新電気はズボンの両サイドに布のトンネル状のものを固定し、その中にゴムバンドを入れる方式。実用新案登録第３０４３５８９出願人上田善嗣は膝関節の屈伸時に膝をカバーできるよう股下から足首にゴムを編み込んだ布でつなぐ方式。しかしながら、前者はトンネルで固定するため、真直ぐ伸びようとするゴムの物性からみて屈伸時の張力は弱く、布のトンネル自体の耐久性にも問題がある。後者は足の膝側前面を引っ張る構成となっていて、踵を後ろに引き上げる機能はない。
【考案の概要】
【考案が解決しようとする課題】
【０００４】踵と膝を持ち上げる働きの一つには、臀部、大腿及び下腿の筋と腱が関与している。
本考案の課題は、サスペンダー素材が持つバネの力で踵を持ち上げることにあり、簡便、且つ、安価に臀部や下肢の働きを支援補助することにある。
【課題を解決するための手段】
【０００５】本考案のヒールサスペンダーは、耐久性、柔軟性、ウオッシャブル性があり、尚且つ、肌触りの良さと肌のかぶれが起こり難い、高度な伸縮力を持つ素材が使われねばならない。
【図面の簡単な説明】
【０００６】
【図１】本考案に係るヒールサスペンダーの正面図
【図２】本考案に係る装着時の背面図
【図３】本考案に係る装着時の側面図
【図４】本考案に係る使用時の下肢衣料内背面図
【図５】本考案に係る歩行時の図
【考案を実施するための形態】
【０００７】使用方法は、ズボンやトレーニングパンツなど下肢衣料を着用する前に、このヒールサスペンダーのベルトをウエストに巻き付け、マジックテープ等で固定し、臀部からふくらはぎにかけて垂らしておく。
使用時には、サスペンダー先端の穴につま先を通し、後ろの穴に踵を通して踏み下ろす。すると図５のようになる。
【産業上の利用可能性】
【０００８】軽度の歩行困難者には安価で最適な歩行支援装置であり、特別な器具を使う訳ではないため、また、装置自体はズボンやトレーニングパンツ内に隠くれるものであり、人目を気にしないですみ、リハビリ効果も兼ね大きな需要が見込める。
また、運動選手にとっては人目に付かない簡便な脚力発揮装置として大きな需要が見込める。
【符号の説明】
【０００９】１０  ヒールサスペンダーのウエストベルト
１１  ウエストベルト両端に付けたマジックテープ
１２  ヒールサスペンダーの伸縮帯
１３  ヒールサスペンダー先端の足の甲と土踏まずに通す穴
１４  ヒールサスペンダー先端の踵に通す穴
１５  使用しない時に留め置かれるサスペンダー先端の位置
１６  使用時に足の甲と土踏まずに掛かる帯
１７  使用時に踵に掛かる帯
【図１】
0003192130.tif 000003
【図２】
0003192130.tif 000004
【図３】
0003192130.tif 000005
【図４】
0003192130.tif 000006
【図５】
0003192130.tif 000007
(57)【要約】      （修正有）【課題】充電しながらスタンドに立てかけて画面操作ができ、同時にイヤホンで音楽も聴けるスマートフォン充電スタンドを提供する。【解決手段】スマートフォン立てかけ収容部１０は直方体の箱型で、縦に置いた時に面内側にＵＳＢケーブルのコネクタ凸２を設け、底部の左端をくり抜いて開口しイヤホンジャックの挿入口４を設ける。底部においてイヤホンジャックの挿入口４の反対側、スマートフォン立てかけ収容部１０の右側面下部外側にＵＳＢケーブルコネクタ凹３を設け、ＵＳＢケーブルはこのスマートフォンスタンド１の底部の中を通って、ＵＳＢケーブルコネクタ凸凹２，３を結ぶ。【選択図】図１
0003192129.tif 000002
【実用新案登録請求の範囲】
【請求項１】
ほぼ直方体のスマートフォンを立てかけるスタンドは、スマートフォン立てかけ収容部と立て脚から構成されており、スマートフォン立てかけ収容部はスマートフォンを後ろから抱きこむようなほぼ直方体の箱型で、縦に置いた時に面内側にＵＳＢケーブルのコネクタ凸を設け、同じ底部の左端をくり抜いて開口し、イヤホンジャックの挿入口を設け、同じ底部においてこのイヤホンジャックの挿入口の反対側、つまりスマートフォン立てかけ収容部の右側面下部外側にＵＳＢケーブルコネクタ凹を設け、ＵＳＢケーブルはこのスマートフォンスタンドの底部の中を通って、ＵＳＢケーブルコネクタ凸凹を結ぶことを特徴とするスマートフォン充電スタンド。
【考案の詳細な説明】
【技術分野】
【０００１】  本考案はスマートフォンをＵＳＢケーブルで充電しながら本体を立てかけるものである。
【背景技術】
【０００２】  スマートフォンをスタンドに立てかけるだけで、充電は別途充電器にセットして行う必要があった。
スマートフォンを充電するスタンド（特許文献１参照）、スピーカーを設けたスタンド（特許文献２参照）、スマートフォンのワイヤレス充電スタンド（特許文献３参照）等が知られている。
【先行技術文献】
【特許文献】
【０００３】
【特許文献１】  特開２０１４−２３３６３号公報
【特許文献２】  特開２０１２−１７５６９６号公報
【特許文献３】  登録実用新案第３１６９９１６号公報
【考案の概要】
【考案が解決しようとする課題】
【０００４】  そのため次のような問題点があった。
（イ）  スマートフォンを充電しながら立てかけるスタンドはなかった。
（ロ）  特許文献１に示された先行技術は、スマートフォンを充電しながら同時に画面操作をすることができず、また横向きにすることはできなかった。
（ハ）  特許文献２に示された先行技術は、スマートフォンを充電しながらイヤホンで音楽を聴くということができず、また横向きにすることはできなかった。
（ニ）  特許文献３に示された先行技術は、ワイヤレス充電の場合スマートフォンに充電用カバーが必要であり、金属パックされたスマートフォンは充電できなかった。またＵＳＢケーブルに比べて充電に時間がかかる。
【課題を解決するための手段】
【０００５】  ほぼ直方体のスマートフォンを立てかけるスタンドは、スマートフォン立てかけ収容部と立て脚から構成されている。スマートフォン立てかけ収容部はスマートフォンを後ろから抱きこむようなほぼ直方体の箱型で、縦に置いた時に長手方向が上下となり、短手方向が左右となり、スマートフォンを立てかけ置く面を前面と仮定する。スマートフォン立てかけ収容部の前面と上面は開放されており、左右側面は壁面を成し、底面はイヤホンジャックの挿入口となる一部分を除き壁面を成し、前面はほぼ全面がスマートフォン立てかけ置き面を成す。スマートフォン立てかけ収容部背面のほぼ中央部に、ほぼ直交する形で立て脚を固定式もしくは付け外し式で取り付ける。スマートフォン立てかけ収容部の底部底面内側にＵＳＢケーブルのコネクタ凸を設け、同じ底部の左端をくり抜いて開口し、イヤホンジャックの挿入口を設ける。同じ底部においてこのイヤホンジャックの挿入口の反対側、つまりスマートフォン立てかけ収容部の右側面下部外側にＵＳＢケーブルコネクタ凹を設け、ＵＳＢケーブルはこのスマートフォンスタンドの底部の中を通って、ＵＳＢケーブルコネクタ凸凹を結ぶ。
以上の構成よりなるスマートフォン充電スタンドである。
【考案の効果】
【０００６】  スマートフォンをそのまま手を加えずにスタンドのＵＳＢケーブルの挿入し、充電しながらスタンドに立てかけられる。また既存のスマートフォン用ＵＳＢケーブルをそのまま使用し新たな電源コネクタを必要としない。またスマートフォンをスタンドで立てかけながら画面操作し、同時に音楽も聴ける。またスタンドを横向きに置いて画面操作することもできる。
【図面の簡単な説明】
【０００７】
【図１】本考案の斜視図
【図２】本考案の側面図
【図３】本考案の背面図
【図４】本考案の内部構造をわかりやすく見せた状態を示す正面斜視図
【図５】本考案の使用状態の一例を示す斜視図
【図６】本考案の使用状態の別の一例を示す斜視図
【考案を実施するための形態】
【０００８】  以下、本考案を実施するための形態について説明する。
スタンド（１）のほぼ全面にスマートフォン立てかけ置き面（９）を設ける。
スタンド（１）の左右底部にスマートフォン立てかけ収容部（１０）を設ける。
スマートフォン立てかけ収容部（１０）の底部左側にイヤホンジャックの挿入口（４）を設ける。スマートフォン立てかけ収容部（１０）の底部内側にＵＳＢケーブルのコネクタ凸（２）を設置する。スマートフォン立てかけ収容部（１０）の底部右側にＵＳＢケーブルのコネクタ凹（３）を設置する。スタンド（１）の裏面にそれを支える立て脚（７）を設ける。
本考案は以上のような構造である。
これを使用する時は、スマートフォンを充電しながら縦または横向きに置いてイヤホンで音楽が聴け、画面操作ができる。
【符号の説明】
【０００９】１．  スタンド
２．  ＵＳＢケーブルのコネクタ凸
３．  ＵＳＢケーブルのコネクタ凹
４．  イヤホンジャックの挿入口
５．  ＵＳＢケーブル
６．  スマートフォン
７．  立て脚
８．  イヤホンジャック
９．  スマートフォン立てかけ置き面
１０．スマートフォン立てかけ収容部
【図１】
0003192129.tif 000003
【図２】
0003192129.tif 000004
【図３】
0003192129.tif 000005
【図４】
0003192129.tif 000006
【図５】
0003192129.tif 000007
【図６】
0003192129.tif 000008
(57)【要約】      （修正有）【課題】ケースに収容されている通信ケーブル等の種類や残量をケース外より容易に目視確認できる省スペース型の収容ケースを提供する。【解決手段】通信ケーブル等を収納するケース本体１１を円形、かつ柔軟性のある厚手の透明ビニール製とする。またケース本体１１側面には通信ケーブル等をケース内に収容する為のファスナー１２を取り付ける。【選択図】図２
0003192128.tif 000002
【実用新案登録請求の範囲】
【請求項１】
電話用屋内線や局内ジャンパー線、ボタン電話用ケーブル、ＬＡＮケーブル、光ファイバーケーブル、アース線等の収容ケースを円形、かつ柔軟性のある厚手透明ビニール製とする事で収容ケーブルの種類や残量をケース外より容易に目視確認できる様にした省スペース型の通信ケーブル等収納ケースである。
【考案の詳細な説明】
【技術分野】
【０００１】  本考案は、電話用屋内線やボタン電話ケーブル、局内ジャンパー線、ＬＡＮケーブル、光ファイバーケーブル、アース線等（以下、通信ケーブル等と表記する）の収容ケースを円形、かつ柔軟性のある厚手透明ビニール製とする事で収容ケーブルの種類や残量をケース外より容易に目視確認できる様にした通信ケーブル等収納ケースの改良に関するものである。
【背景技術】
【０００２】  通常、通信ケーブル等は四角い段ボール箱に収容された状態で納品される。【０００３】  段ボール箱の上蓋中央には円形のミシン目があり、通信ケーブル等繰り出し用の丸い穴をくり抜ける様になっている。【０００４】  実際に工事等で通信ケーブル等を使用する際は、段ボール箱の上蓋中央の繰り出し用の穴から必要長だけケーブルを繰り出しながら使用する。
【考案の概要】
【考案が解決しようとする課題】
【０００５】  通信ケーブル等は段ボール箱に収容されている為、ケーブル残量を確認する際はケーブル繰り出し穴より中を覗いて確認する必要があるが、それではケーブル残量を正確に把握するのは困難である。【０００６】  ケーブル残量が少なくなった場合でも段ボール箱の大きさは不変なので、その占有スペースは固定的である。【０００７】  段ボール箱には専用の持ち手が無いので、持ち運びがし難い。【０００８】  段ボール箱は、雨や水分に弱い。
【課題を解決するための手段】
【０００９】  上記欠点を解決する為に本考案は、通信ケーブル等収納ケースを円形、かつ柔軟性のある厚手の透明ビニール製とした。また通信ケーブル等をケース内に収容する際にケースを大きく広げる為のファスナーを側面に取り付けた。【００１０】  収容ケースの上部と側面には、持ち運び用の持ち手を取り付けた。
【考案の効果】
【００１１】  収容ケースは素材が透明ビニール製なので、ケース外よりケーブル残量や種類を容易に目視確認できる。【００１２】  収容ケースは円形なので、四角いダンボール箱と比較して省スペース的に有利、かつ素材が柔軟性のあるビニール製なので、収容している通信ケーブル等の残量に比例して収容ケースの厚みも薄くできる為、倉庫収容時や車載時の収容スペースの節約となる。【００１３】  収容ケースには上部と側面に持ち手があるので、段ボール箱と比較し、ケーブルが持ち運び易い。【００１４】  収容ケースは、素材がビニールなので雨や水分に強く繰り返し使用できる。【００１５】  収容ケースは、サイズを変える事で通信ケーブル等のみならず、電源系ケーブル、ＰＰ／ＰＥロープ、麻ヒモ等、通信分野意外にも幅広く利用できる。
【図面の簡単な説明】
【００１６】
【図１】通信ケーブル等の納品時に収容されている段ボール箱の側面図。
【図２】本考案の透明ビニール製、通信ケーブル等収容ケースの側面図。
【図３】本考案のケースに通信ケーブル等を収容する際の概念図。
【図４】本考案のケースに収容されている通信ケーブル等を、段ボール箱より繰り出しながら使用している概念図。
【図５】本考案のケースに収容されている通信ケーブ等の先端を仮留めしている概念図（パターン１）。
【図６】本考案のケースに収容されている通信ケーブ等の先端を仮留めしている概念図（パターン２）。
【００１７】  以下、本考案の実施の形態を図に基づいて説明する。各図において、同一部分には同一番号を付し、重複する説明は省略する。収容ケースのサイズについては、収容するケーブルの大きさに合わせた多様なサイズが考えられる為、表記を省略する。【００１８】  図１の１：通信ケーブル等の納品時に収容されているダンボール箱。２：通信ケーブル等を繰り出す際に必要な穴をくり抜く為のミシン目。【００１９】  図２の１１：円形、かつ柔軟性のある厚手透明ビニール製のケース本体。素材は柔軟性のある厚手透明素材であればポリエチレン等を利用しても可。  １２：ケース内に通信ケーブル等を収容する際にケースを開く為のファスナーで、ケース半周分は必要である。ケースを大きく開く事ができ、かつ持ち運びの際に収容する通信ケーブル等の重量に耐える事が出来れば、チャックスライダーやスナップボタン、マジックテープ等を利用しても良い。  １３：通信ケーブル等の繰り出し穴。  １４：ケースを運ぶ際に利用する上部持ち手。  １５：ケースを運ぶ際に利用する側面持ち手。  １６：ケーブル種別等を書いたメモカードを挿入する為の透明ポケット。  １７：通信ケーブル等の先端を仮留めする際に利用できる、ケーブル差し込み穴。【００２０】  図３は、通信ケーブル等を収容ケースに収容する為、ファスナーを開いている図である。  ａ：通信ケーブル等の束。【００２１】  図４は、通信ケーブル等を使用する為に、収容ケースよりケーブルを繰り出している図である。  ｂ：通信ケーブル等。【００２２】  図５は、ケースに収容されている通信ケーブ等の先端をケーブル差し込み穴に差し込み、仮留めしている図で差し込み穴１つを利用している図である。作業終了後は、ケーブルの先端を見失わない様に必ず仮留めしておく必要がある。【００２３】  図６は、ケースに収容されている通信ケーブ等の先端をケーブル差し込み穴に差し込み、仮留めしている図で差し込み穴２つを利用している図である。
【図１】
0003192128.tif 000003
【図２】
0003192128.tif 000004
【図３】
0003192128.tif 000005
【図４】
0003192128.tif 000006
【図５】
0003192128.tif 000007
【図６】
0003192128.tif 000008
(57)【要約】      （修正有）【課題】名刺やＩＤカード等を入れる吊り下げ名札ケースで、ケースの外から素早くメモを取ることができると共に、メモを書き込むスペース量不足を解決できる吊り下げメモケースを提供する。【解決手段】ケース１全てを透明な材質で構成し、用紙挿入口３より複数の用紙６を格納し、ケースの正面中央に大きく開いた用紙記入穴２を設ける。またケースの上部中央にクリップや留め具等を取り付ける吊り下げ器具通し穴４と吊り下げ器具通し穴の左右に紐通し穴５を設ける。さらに用紙記入穴の上部横方向２箇所には用紙抜け防止のための用紙押さえ突起部７を設け、ケースの下部中央には筆記具のクリップ挿入口９がある筒状の筆記具固定部８を設ける。【選択図】図１
0003192125.tif 000002
【実用新案登録請求の範囲】
【請求項１】
ケース（１）全てが透明な材質でできた用紙挿入口（３）より複数の用紙（６）が格納されたケース（１）の正面中央に大きく開いた用紙記入穴（２）を設け、ケース（１）の上部中央に吊り下げ器具通し穴（４）と吊り下げ器具通し穴（４）の左右に紐通し穴（５）を設け、用紙記入穴（２）の上部にあるケース（１）の横方向２箇所に用紙押さえ突起部（７）を設け、ケース（１）の下部中央にクリップ挿入口（９）がある筆記具固定部（８）を設けた吊り下げメモケース。
【考案の詳細な説明】
【技術分野】
【０００１】  本考案は、買い物や仕事やイベント等で身の回りにノートやメモ帳や用紙等を持たず内容を書き留めたい場合に、首から吊り下げる名刺やＩＤカード等を入れる名札ケースでメモに使用できる吊り下げメモケースに関するものである。
【背景技術】
【０００２】  従来の吊り下げ名札ケースは、ケースにそのまま名刺やＩＤカード等を入れるだけで名刺やＩＤカード等を指でスライドして取り出して空白にメモを取ったり、ノートやメモ帳や用紙等を用意して書いていた。
【考案の概要】
【考案が解決しようとする課題】
【０００３】  しかしながら、従来の吊り下げ名札ケースでは、思い付いたときにすぐにメモを取ったりメモを書き込むスペース量が足りなかったり、所持品としてノートやメモ帳や用紙等を用意する欠点があった。
【課題を解決するための手段】
【０００４】  ケース（１）全てが透明な材質でできた用紙挿入口（３）より複数の用紙（６）が格納されたケース（１）の正面中央に大きく開いた用紙記入穴（２）を設け、ケース（１）の上部中央に吊り下げ器具通し穴（４）と吊り下げ器具通し穴（４）の左右に紐通し穴（５）を設け、用紙記入穴（２）の上部にあるケース（１）の横方向２箇所に用紙押さえ突起部（７）を設け、ケース（１）の下部中央にクリップ挿入口（９）がある筆記具固定部（８）を設ける。本考案は、以上の構成よりなる吊り下げメモケースである。
【考案の効果】
【０００５】  買い物や仕事やイベント等で身の回りにノートやメモ帳や用紙等を持たず思い付いた内容をすぐに書き留めたい場合に、首から吊り下げる名刺やＩＤカード等を入れる従来の名札ケースでは、名刺やＩＤカード等を指でスライドして取り出して空白にメモを取ったりメモを書き込むスペース量が足りなかったりする欠点があった。しかし従来の名札ケースに比べ本考案の吊り下げメモケースは、メモに使用する用紙に書ける大きな記入穴を設け取り出さずにケースの外から素早くメモを取ることができる。【０００６】  複数の用紙が格納できるので大量に書けて用紙毎に内容を分類することができる。【０００７】  本考案の吊り下げメモケースの裏面に名刺やＩＤカード等を入れて反転して表面にすると従来の名札ケースとしても使用できる。【０００８】  本考案の吊り下げメモケースは無地の用紙の他に１ｃｍ間隔の方眼紙の目盛りが付いた用紙を格納しメモに使用することで品物の長さを測ることができる。【０００９】  本考案の吊り下げメモケースは無地の用紙の他に交通機関の発着の時刻表が記入された用紙を格納することで交通手段に使用することができる。【００１０】  本考案の吊り下げメモケースの下部にある筒状の筆記具固定部に筆記具のクリップを挿入することで鞄やポケットが無くても素早くメモを取ることができる。
【図面の簡単な説明】
【００１１】
【図１】  本考案の正面図である。
【図２】  本考案の背面図である。
【図３】  本考案の右側面図である。
【考案を実施するための形態】
【００１２】  以下、本考案の実施の形態について説明する。
ケース（１）全てが透明な材質でできた用紙挿入口（３）より複数の用紙（６）が格納されたケース（１）の正面中央に大きく開いた用紙記入穴（２）を設け、ケース（１）の上部中央に吊り下げ器具通し穴（４）と吊り下げ器具通し穴（４）の左右に紐通し穴（５）を設け、用紙記入穴（２）の上部にあるケース（１）の横方向２箇所に用紙押さえ突起部（７）を設け、ケース（１）の下部中央にクリップ挿入口（９）がある筆記具固定部（８）を設ける。
本考案は、以上のような構造でこれを使用する時は、ケース（１）の正面中央に大きく開いた用紙記入穴（２）の上部にある用紙挿入口（３）から複数の用紙（６）を挿入する。ケース（１）の上部中央にあるクリップや留め具等を取り付ける吊り下げ器具通し穴（４）または吊り下げ器具通し穴（４）の左右にある紐通し穴（５）を使用して首から吊り下げる。用紙記入穴（２）から用紙（６）に記入した後に用紙記入穴（２）の上部にあるケース（１）の横方向２箇所にある用紙抜け防止のための用紙押さえ突起部（７）に向けて使用済み用紙（６）を上へスライドさせて取り出す。
【００１３】  本考案は、用紙記入穴（２）側のケース（１）の裏面に名刺やＩＤカード等を入れておき反転して表面にすると従来の名札ケース同様に使用できる。
【００１４】  本考案は、１ｃｍ間隔の方眼紙の目盛りが付いた用紙（６）をメモに使用すれば品物の長さを測ることができる。
【００１５】  本考案は、無地の用紙の他に列車や電車やバスや航空機等の時刻表が記入された用紙を格納することで交通手段に使用することができる。
【００１６】  本考案は、ケース（１）の下部にある筒状の筆記具固定部（８）のクリップ挿入口（９）に筆記具のクリップを挿入することで鞄やポケットが無くても筆記具を携帯でき素早くメモを取ることができる。
【符号の説明】
【００１７】１  ケース
２  用紙記入穴
３  用紙挿入口
４  吊り下げ器具通し穴
５  紐通し穴
６  用紙
７  用紙押さえ突起部
８  筆記具固定部
９  クリップ挿入口
【図１】
0003192125.tif 000003
【図２】
0003192125.tif 000004
【図３】
0003192125.tif 000005
(57)【要約】      （修正有）【課題】ベットメイクの作業性と業務用洗濯効率を上げるワンタッチシーツを提供する。【解決手段】シーツ隅角の縁辺に、斜めに抑えミシン縫い部を設ける。ベットの天部分にシーツを裏返しにして下部を引っ張りマットレスの下に入れ込む。このことにより一人で簡単にベットメイクが可能になる。【選択図】図１
0003192108.tif 000002
【実用新案登録請求の範囲】
【請求項１】
ベットメイク時におけるシーツ交換作業の簡素化する為にベットの天部分にシーツの隅角の緑辺に斜めに抑えミシンで構成されたシーツを裏返しにして下部を引っ張りマットの下に入れ込むことによりシーツ交換作業が楽になり、業務用自動洗濯たたみ機の使用が可能なワンタッチでできるシーツ。
【考案の詳細な説明】
【技術分野】
【０００１】業務用洗濯においてのシーツの改良。
【背景技術】
【０００２】シーツの交換作業と業務用洗濯を容易にできる。
【考案の概要】
【０００３】業務用シーツ交換の作業のスピード化。
【考案が解決しようとする課題】
【０００４】ベットメイクの作業性と業務用洗濯効率を上げる
【課題を解決するための手段】
【０００５】シーツ交換の作業性を上げる手段として、ベットの天部分にシーツの隅角部の緑辺に斜めの抑えミシン縫いで構成されたシーツを裏返しにして下部を引っ張りマットの下に入れ込むことにより解決しているシーツ。
【図面の簡単な説明】
【０００６】
【図１】本考案のワンタッチシーツの実施例を示す正面図です。
【図２】本考案のワンタッチシーツの実施例を示す裏面図
【符号の説明】
【０００７】１、表面図
２、抑えミシン糸
３、折り返し部分
４、折り返し裏面図
５、ミシン糸三角部分が内に入る
６、裏面図
【図１】
0003192108.tif 000003
【図２】
0003192108.tif 000004
【手続補正書】
【提出日】平成26年4月7日(2014.4.7)
【手続補正１】
【補正対象書類名】実用新案登録請求の範囲
【補正対象項目名】全文
【補正方法】変更
【補正の内容】
【実用新案登録請求の範囲】
【請求項１】
シーツ隅角の縁辺に、斜めに抑えミシン縫い部を設けたシーツ。
(57)【要約】      （修正有）【課題】名札に表示された個人情報を誰かに見られて悪用されることを防止し、また、薄暮時や夜間に車やバイクのドライバーから名札使用者の存在を早く視認されやすくする名札を提供する。【解決手段】板を２枚重ねにして個人情報を表示する面を内側に隠すことで、誰かに住所や氏名などを知られて悪用されることを防ぎ、また、両外側に反射材を被覆することで、名札と反射材の両方の機能を兼ね備えることができる。第一板材１は一面が個人情報の記入面、他面が反射面からなり、第二板材２は第一板材１の一面に重ねてあって反対面が反射面からなり、それら第一板材１と第二板材２を保持部材３で保持する。【選択図】図１
0003192101.tif 000002
【実用新案登録請求の範囲】
【請求項１】
第一板材は一面が個人情報の記入面、他面が反射面からなり、第二板材は第一板材の一面に重ねてあって反対面が反射面からなり、それら第一板材と第二板材を保持部材で保持した名札。
【考案の詳細な説明】
【技術分野】
【０００１】  本考案は、名札に表示された個人情報を誰かに見られて悪用されることを防止し、また、薄暮時や夜間に車やバイクのドライバーから名札使用者の存在を早く視認されやすくする名札に関するものである。
【背景技術】
【０００２】  従来は、反射板材の片面に個人情報を表示するための欄がある、一枚板からなる名札があった。
【考案の開示】
【考案が解決しようとする課題】
【０００３】  そのために次のような問題点があった。
（イ）反射板材の片面に個人情報を表示するための欄がある、一枚板からなる名札をカバンの外側等に取り付けると、個人情報を常に人目にさらすことになり、誰かに住所や氏名等を知られて悪用される恐れがあった。
（ロ）反射板材の片面に個人情報を表示するための欄がある、一枚板からなる名札に、油性ペン等で住所や氏名等を記入したり、名前シールなどを貼ったりすれば、その部分の反射力が激減するため、その部分は反射材としての機能を完全に発揮することができなかった。
本考案は、これらの問題点を解決するためになされたものである。
【課題を解決するための手段】
【０００４】  第一板材は一面が個人情報の記入面、他面が反射面からなり、第二板材は第一板材の一面に重ねてあって反対面が反射面からなり、それら第一板材と第二板材を保持部材で保持した名札である。
【考案の効果】
【０００５】  本考案品は、カバンの外側などに取り付けた時に、以下の効果を発揮する。
（イ）個人情報を表示する面を内側に隠すことで周囲から見えなくできるので、誰かに住所や氏名等を知られて悪用されるのを防げる。つまり防犯機能を高めることができる。
（ロ）反射材被覆面には何も書かないで良くなるので、反射材としての機能を完全に発揮することができ、薄暮時や夜間に、車やバイク等のドライバーから存在を早く視認されやすくできる。つまり交通事故予防機能を高めることができる。
【考案を実施するための最良の形態】
【０００６】  以下、本考案の実施の形態について説明する。（イ）第一板材（１）の一面には、氏名・住所・電話番号等を記入するための欄を印刷した、油性ペン等で氏名等を容易に記入できる素材（ビニール素材など）を被覆し、他面には、車やバイク等のヘッドライトの光をドライバーに向けて跳ね返す反射材（公序良俗違反につき、不掲載）を被覆する。（ロ）第二板材（２）の一面には油性ペン等で氏名等を容易に記入できる素材（ビニール素材など）を被覆し、他面には、車やバイク等のヘッドライトの光をドライバーに向けて跳ね返す反射材（公序良俗違反につき、不掲載）を被覆する。（ハ）第一板材（１）と第二板材（２）の端（両方同じ位置）に、ひも等を通すための穴である、穴一（４）と穴二（５）をそれぞれ設ける。（ニ）第一板材（１）と第二板材（２）を、両方共、反射材被覆面を外側にして重ねる。（ホ）第一板材（１）の穴一（４）と、第二板材（２）の穴二（５）に保持部材（ループ状ひも）（３）を通して固定する。  本考案は以上のような構成で、これを使用する時は、保持部材（ループ状ひも）（３）をカバンのハンドルや金属製リングなど、ループ状になった部分に取り付けて、周囲から視認されやすいよう外側に出す。  それにより、災害時や事故時、迷子時等の緊急時に、援助者（教師や警察官、救急隊員、消防士等）が手間取ることなくすぐに身元を確認できるというメリットを、名札に記入してある個人情報を誰かに知られて悪用されることを防ぎつつ、さらに薄暮時や夜間に車やバイク等のドライバーに存在を早く視認されるようにしつつ、享受することができる。
【図面の簡単な説明】
【０００７】
【図１】  本考案の斜視図
【図２】  本考案の分解図  （Ａ）第二板材の反射面  （Ｂ）第一板材の個人情報記入面  （Ｃ）保持部材（ループ状ひも）
【符号の説明】
【０００８】  １  第一板材
２  第二板材
３  保持部材（ループ状ひも）
４  穴一
５  穴二
【図１】
0003192101.tif 000003
【図２】
0003192101.tif 000004
【手続補正書】
【提出日】平成26年5月9日(2014.5.9)
【手続補正１】
【補正対象書類名】明細書
【補正対象項目名】０００６
【補正方法】変更
【補正の内容】
【０００６】  以下、本考案の実施の形態について説明する。
（イ）第一板材（１）の一面には、氏名・住所・電話番号等を記入するための欄を印刷した、油性ペン等で氏名等を容易に記入できる素材（ビニール素材など）を被覆し、他面には、車やバイク等のヘッドライトの光をドライバーに向けて跳ね返す反射材（樹脂製反射フィルムなど）を被覆する。
（ロ）第二板材（２）の一面には油性ペン等で氏名等を容易に記入できる素材（ビニール素材など）を被覆し、他面には、車やバイク等のヘッドライトの光をドライバーに向けて跳ね返す反射材（樹脂製反射フィルムなど）を被覆する。
（ハ）第一板材（１）と第二板材（２）の端（両方同じ位置）に、ひも等を通すための穴である、穴一（４）と穴二（５）をそれぞれ設ける。
（ニ）第一板材（１）と第二板材（２）を、両方共、反射材被覆面を外側にして重ねる。
（ホ）第一板材（１）の穴一（４）と、第二板材（２）の穴二（５）に保持部材（ループ状ひも）（３）を通して固定する。
本考案は以上のような構成で、これを使用する時は、保持部材（ループ状ひも）（３）をカバンのハンドルや金属製リングなど、ループ状になった部分に取り付けて、周囲から視認されやすいよう外側に出す。
それにより、災害時や事故時、迷子時等の緊急時に、援助者（教師や警察官、救急隊員、消防士等）が手間取ることなくすぐに身元を確認できるというメリットを、名札に記入してある個人情報を誰かに知られて悪用されることを防ぎつつ、さらに薄暮時や夜間に車やバイク等のドライバーに存在を早く視認されるようにしつつ、享受することができる。
(57)【要約】      （修正有）【課題】巾着袋にデザイン装飾の創意工夫を加え、利用者の生活に暖かい感性を提供する。【解決手段】巾着袋本体１の表面に、レーザー加工機から発するレザー光を利用して、顧客が要望するオリジナルデザイン装飾２を、顧客の前で実演販売加工して施す。【選択図】図１
0003192109.tif 000002
【実用新案登録請求の範囲】
【請求項１】
巾着袋本体（１）の表面に、レーザー加工機（３）を利用して、顧客の目の前で、顧客が希望するオリジナルデザイン装飾（２）を施して成る実演販売加工（４）の出来る特徴を持った、オリジナルデザイン装飾を設けた巾着袋。
【考案の詳細な説明】
【技術分野】
【０００１】  本考案は、女性のコンパクトや携帯小物入れとして、便利な巾着袋をオシャレなオリジナルデザインに変身させ、趣向興味の感性を高める技術に関するものである。
【背景技術】
【０００２】  現状は、便利に巾着袋を使っている程度の関心でしかなかった。
【考案が解決しようとする課題】
【０００３】  現在、巾着袋は小物入れとして、日常生活に利用されていると思うが、入れ物としては、そんなに普及しているとは感じられない。こうした中で、巾着袋にもっと想像や夢を持たせて、生活の中で只使うだけでなく流されるだけにしないで、巾着袋をよりオシャレにして、また見る度に、ユーモアとか美的感覚を貰ったり、利用する人々の感性に、何か訴えるものがあるような存在にしたい。つまりこれを眺めるだけで、楽しいとか、可愛いとか、綺麗とか、凄いとか、利用者の感情感性に何か暖かいものが流れる様な物にしたい。しかし、今の巾着袋にはそこまで考えた、差別化したものは皆無であった。
これらの問題点を改善し、今までにない有効な本考案がなされたのである。
【課題を解決するための手段】
【０００４】  本考案は簡単構成でしかも芸術的に形成されている。以下解決手段を説明する。
まず、巾着袋本体（１）の表面に、顧客が希望するデザイン（文字や絵等）をレーザー加工機（３）を使って顧客の目の前で、オリジナルデザイン装飾（２）を施すのである。つまり販売店の販売コーナーで、実演販売加工（４）を行うのである。これで顧客は、世界で一つしか無いオリジナルデザイン装飾された、自分専用の巾着袋を獲得出来るのである。
本考案はこのような特徴よりなる、オリジナルデザイン装飾を設けた巾着袋である。
【考案の効果】
【０００５】  本考案は、世界で自分だけの巾着袋を所持および使用していると云う、優越感や誇りが、その場の自分の雰囲気を和らげるので、人々の生活必需品としてだけでなく、精神的な安らぎを提供する効果がある。
【考案を実施するための最良の形態】
【０００６】  本考案は簡単な構成と、独特のデザインで形成されている。
顧客の前で巾着袋本体（１）の表面に、顧客の要望するオリジナル文字およびオリジナル模様やオリジナル絵柄等を、レーザー加工機（３）のレーザーペンより出るレーザー光を利用して、オリジナルデザイン装飾（２）として施す。巾着袋本体（１）の材料はビロードやベッチンあるいはコールテン等の起毛布地が使われる。また染めているものは、そのレーザー光が当たっている部分だけ、下地生地の色が抜けるので、独特のメッセージデザインとしての実演販売加工（４）が出来る。
本考案は以上のような構成であり、これを使用実施するときには、【０００７】    図１、図２のように、レーザー加工機（３）で顧客の前で、実演販売加工（４）を行う。
【図面の簡単な説明】
【０００８】
【図１】  本考案の斜視図である。
【図２】  本考案の実施説明図である。
【符号の説明】
【０００９】  １  巾着袋本体
２  オリジナルデザイン装飾
３  レーザー加工機
４  実演販売加工
【図１】
0003192109.tif 000003
【図２】
0003192109.tif 000004
【手続補正書】
【提出日】平成26年5月12日(2014.5.12)
【手続補正１】
【補正対象書類名】実用新案登録請求の範囲
【補正対象項目名】全文
【補正方法】変更
【補正の内容】
【実用新案登録請求の範囲】
【請求項１】
巾着袋本体（１）の表面に、レーザー加工機（３）を利用して、顧客の目の前で、顧客が希望するオリジナルデザイン装飾（２）を施して、実演販売加工（４）がされたことを特徴とする、オリジナルデザイン装飾を設けた巾着袋。
(57)【要約】      （修正有）【課題】傘の布地を手を濡らさず素早くたたむ、取っ手付リングを提供する。また、ファッションリングの機能も持たせ、傘のワンポイントファッションを楽しむことにより、持ち歩く煩わしさを解消する。【解決手段】取っ手２を持ちリング１を傘に通して布地を巻き上げる。手を濡らすことなく歩きながらでも布地をたたむことが出来る。また、シール貼付部３・ストラップ取付孔４を利用して、各個人独自のファッションリングを作り、傘のワンポイントファッションを楽しむ。【選択図】図１
0003192106.tif 000002
【実用新案登録請求の範囲】
【請求項１】
傘の布地をたたむための取っ手付リング
【請求項２】
取っ手部分にシール貼付部３を設けた、請求項１の取っ手付リング
【請求項３】
取っ手部分にストラップ取付孔４を設けた、請求項１の取っ手付リング
【請求項４】
取っ手２を動物・キャラクター等の形にした、請求項１の取っ手付リング
【考案の詳細な説明】
【技術分野】
【０００１】本考案は、傘の布地をたたむための取っ手付リングに関するものである。
【背景技術】
【０００２】従来傘の布地をたたむ場合、布地に付属のバンドを巻きつけてたたんでいた。
また、本考案と同じくリングを利用した提案もいくつかあります。
【考案の開示】
【考案が解決しようとする課題】
【０００３】雨の日に傘は必需品である。ただ、大半の人は傘を持つことに煩わしさを感じています。その主な理由として、次のようなことが考えられます。
（イ）傘に付属のバンドで布地をたたむ場合、手が濡れてしまいます。また、歩きながらたたむことが出来ません。傘に目を落とす時間が長いため、歩行安全上困難です。アーケードに入り信号を渡ってまたアーケードに入る場合など、雨の日には傘の開閉を時を置かず幾度となく行うことがよくあります。その度にその場に立ち止まり、手を濡らしてまで布地をたたむことは、本当に煩わしいことです。
（ロ）傘に付属のバンドは、ネームバンドとも呼ばれています。ただ、バンドに名前を書き入れている人はほとんどいません。野暮ったく感じるのかもしれません。他人の傘との区別は、さりげなくする必要があります。
（ハ）従来の傘は、ファッションを楽しむことが出来ません。布地のファッションはありますが、閉じてしまえばそれも出来ません。煩わしさを解消するためには、ファッションを楽しむことも必要です。
（二）従来のリングを利用した提案には、リングと一体となった取っ手がありません。リングを利用して布地をたたむ場合、リングと布地の間の摩擦を出来るだけ少なくする必要があります。つまり、リングと傘の軸を出来るだけ直角に保つ必要があります。そうしないとリングを素早く上へ引き上げることが出来ません。また、布地を傷つけることにもなります。従来のリングを利用した提案には、リングと一体になった取っ手がない為、リングと傘の軸を直角に保つことが出来ません。
また、布地を傷つけない為には、ある程度傘を廻しながらたたむ必要があります。その場合、廻している手を何回か傘から離す為、リングだけで傘を支える必要があります。従来のリングと一体となっていない取っ手では傘を支えることが出来ません。
本考案は、上記の問題点を解消するためになされたものである。
【課題を解決するための手段】
【０００４】傘の布地をたたむ場合、リングの取っ手２を持ち、傘の石突（先端）にリングを通し、傘を少し廻しながらリングを持ち上げます。この方法によれば、手を濡らす事もなく、またリングを傘に通す時だけ一瞬傘に目を落とすだけなので、歩きながらでも素早く布地をたたむことが出来ます。
また本考案は、ファッションリングとしての機能も持ち合わせています。取っ手部分はいろいろな形に製作出来、シール貼付部３には、市販のシール・プリクラ写真・ラインストーン等を貼り付ける事が出来ます。さらに、ストラップを取り付けるためのストラップ取付孔４も付いています。自分自身で自分だけのファッションリングを作り、傘のワンポイントファッションを楽しむことが出来ます。
【考案の効果】
【０００５】本考案は、従来の傘に付属のバンドに代わる考案であり、傘の布地を手を濡らさず素早くたたむための考案である。構造は、取っ手の付いたリングというきわめて簡単な構造であり、使用方法もリングを傘に通して巻き上げるという簡単な方法である。
効果としては、手を濡らすことなく歩きながらでも傘の布地をたたむことが出来ます。ファッションリングとしての機能もあり、シールを貼ったりストラップを取り付ければ、各個人独自の傘のファッションリングを作ることが出来ます。また、副産物としてストラップ孔に弾力性のあるフック金具付ストラップを取り付ければ、自転車利用時にハンドルと前かごを利用して、傘を簡単にまた安全に持ち運ぶことも出来ます。いずれの機能も傘を持ち歩く煩わしさを解消するための考案であり、これまで実践されていなかった煩わしさの解消法です。
昨今、使い捨てビニール傘によるゴミ問題が深刻化しています。その数、年間数千万本に上ると推定されています。本来傘は使い捨てするような物ではありません。あまりにも持ち歩く煩わしさが大きすぎるためと思われます。
本考案が根本的な煩わしさの解消につながるかどうかは分かりません。ただ、現在のビニール傘使い捨ての流れを少しでも止めるためにも、実践されるべき考案と考えます。
【図面の簡単な説明】
【０００６】
【図１】本考案の平面図である。
【図２】本考案の断面図である。
【図３】本考案の使用状況を示す斜視図である。
【符号の説明】
【０００７】１  リング
２  取っ手
３  シール貼付部
４  ストラップ取付孔
【図１】
0003192106.tif 000003
【図２】
0003192106.tif 000004
【図３】
0003192106.tif 000005
【手続補正書】
【提出日】平成26年5月15日(2014.5.15)
【手続補正１】
【補正対象書類名】実用新案登録請求の範囲
【補正対象項目名】全文
【補正方法】変更
【補正の内容】
【実用新案登録請求の範囲】
【請求項１】
円形のリング（１）と、前記リング（１）の外周部に一体的に設けられた取っ手（２）とからなる、傘の布地をたたむための取っ手付リング。
【請求項２】
前記取っ手（２）にシール貼付部（３）を設けた、請求項１に記載の取っ手付リング。
【請求項３】
前記取っ手（２）にストラップ取付孔（４）を設けた、請求項１に記載の取っ手付リング。
【請求項４】
前記取っ手（２）を動物またはキャラクターの形にした、請求項１に記載の取っ手付リング。